(57)【要約】【課題】背もたれを操作することなく容易に移動させることができる椅子式マッサージ機を提供する。【解決手段】座部３及び背もたれ４を有した椅子本体２にマッサージ用空気袋を設け、この空気袋をエアー給排気装置９によって動作される椅子式マッサージ機１を前提とする。椅子本体２の後側部位に後部移動輪22を固定する。椅子本体２の前側部位に前部移動輪23を椅子本体２の下方に突出する使用位置とこの使用位置より上方の待機位置とにわたって移動可能に設ける。エアー給排気装置９により膨縮される移動輪用空気袋26を設ける。移動輪用空気袋26は、非使用時には収縮し、使用時には膨張状態に保持されて前部移動輪23を待機位置から使用位置に移動させる。後部移動輪22と使用位置の前部移動輪23とを用いて椅子本体２を移動させるようにしている。【選択図】      図２
2006034446.tif 000002
【特許請求の範囲】
【請求項１】
座部及び背もたれを有した椅子本体にマッサージ用空気袋を設け、この空気袋をエアー給排気装置によって動作させる椅子式マッサージ機において、
前記椅子本体に移動輪を取付け、この移動輪を前記椅子本体の下方に突出する使用位置とこの使用位置より上方の待機位置とにわたって移動可能に設け、
前記エアー給排気装置により非使用時には収縮し使用時には膨張状態に保持されて前記移動輪を前記待機位置から前記使用位置に移動させる移動輪用空気袋を設けてなる椅子式マッサージ機。
【請求項２】
座部及び背もたれを有した椅子本体にマッサージ用空気袋を設け、この空気袋をエアー給排気装置によって動作させる椅子式マッサージ機において、
前記椅子本体の後側部位に設けた後部移動輪と前記椅子本体の前側部位に設けた前部移動輪との内の一方の移動輪を固定するとともに、他方の移動輪を前記椅子本体の下方に突出する使用位置とこの使用位置より上方の待機位置とにわたって移動可能に設け、
前記エアー給排気装置により非使用時には収縮し使用時には膨張状態に保持されて前記移動可能な移動輪を前記待機位置から前記使用位置に移動させる移動輪用空気袋を設けてなる椅子式マッサージ機。
【発明の詳細な説明】
【技術分野】
【０００１】
本発明は、背もたれ付きの椅子本体に設けたマッサージ用施療子で着座者に対するマッサージを施すことが可能な椅子式マッサージ機に関する。
【背景技術】
【０００２】
従来、座部の前側部位に前部キャスタを固定するとともに、座部の後側部位に後部キャスタを移動可能に設けて、背もたれ部の起倒動作に連動させて後部キャスタを、座部内への収納位置と座部の下面から突出する位置とにわたって移動させる構成の椅子式エアーマッサージ装置が知られている（例えば特許文献１参照。）。
【０００３】
このマッサージ装置では、マッサージ用空気袋が取付けられ、かつ、手動により起倒可能な背もたれ部を、起立状態或いは仰向けに寝かせることに連動して後部キャスタを座部内に収納させることができる。この状態では、座部の後側部位が床面に接して支持されるので、前部キャスタが常に床面に接しているにも拘わらず、椅子が勝手に移動されることは防止される。又、背もたれ部を座部に沿わせて前側に伏せるように倒したときに、座部の下面から突出して床面に接する後部キャスタと、常に床面に接している前部キャスタとを用いて、椅子を容易に移動させることができる。
【特許文献１】特開平10−118146号公報（段落0022−0026、図７−図９）
【発明の開示】
【発明が解決しようとする課題】
【０００４】
椅子式マッサージ機では、着座者の上半身などの重さに抗してマッサージ用空気袋をマッサージ動作させる際の反力を支持する構造が採用されている。このため、椅子式マッサージ機の背もたれ部は通常の椅子に比較して重量が遥かに重い。
【０００５】
このように重い背もたれ部を、キャスタを出し入れするために操作する特許文献１の技術では、椅子の移動を開始する際に背もたれ部を手動で伏せるように前側に倒す作業、及び移動終了後に手動で背もたれ部を起こす作業に、重い背もたれ部の重量に見合った操作力が必要であるので、椅子を移動させようとする作業者にとっての負担が大きく、その改善が望まれている。
【０００６】
本発明の目的は、背もたれを操作することなく容易に移動させることができる椅子式マッサージ機を提供することにある。
【課題を解決するための手段】
【０００７】
本発明は、エアー給排気装置によって動作されるマッサージ用空気袋が設けられた椅子本体に、この本体の下方に突出する使用位置とこの使用位置より上方の待機位置とにわたって移動可能な移動輪を取付けるとともに、前記エアー給排気装置により膨縮される移動輪用空気袋を設け、この移動輪用空気袋が非使用時の収縮状態から使用時の膨張状態に保持されることによって、移動輪を待機位置から使用位置に移動させるようにしている。
【発明の効果】
【０００８】
本発明によれば、背もたれを操作することなく容易に移動させることができる椅子式マッサージ機を提供できる。
【発明を実施するための最良の形態】
【０００９】
図１〜図３を参照して本発明の一実施形態を説明する。
【００１０】
図１及び図２中符号１で示す椅子式マッサージ機は椅子本体２を備えている。この椅子本体２は、座部３と、この座部３の後端に連続するように設けられた背もたれ４とを備えている。座部３は、座部本体３ａと、座部本体３ａの幅方向両端に連結された側部本体支え３ｂとを有している。左右一対の側部本体支え３ｂは肘掛けを兼ねている。背もたれ４は、起倒できないように固定して、或いは起倒できるようにリクライニング可能に設けられる。
【００１１】
椅子本体２の座部３と背もたれ４の少なくとも一方にはマッサージ用施療子として例えば膨縮する空気袋が設けられている。図１に例示したように本実施形態では、座部３に尻部マッサージ用の空気袋５が配設されているとともに、背もたれ４に、一対の肩部マッサージ用の空気袋６ａ、６ｂと、背筋部マッサージ用の空気袋７と、一対の腰部マッサージ用の空気袋８ａ、８ｂとが配設されている。これらの空気袋は、図２に示すように座部本体３ａの下方に配置された駆動部であるエアー給排気装置９によって繰り返し膨縮されて、着座者に対してエアーマッサージを施す。
【００１２】
なお、図１及び図２中符号１０は座部３の前端部に上下方向に回動可能に連結された足載せ台を示している。この足載せ台１０は省略してもよいが、足載せ台１０を使用する場合には、エアー給排気装置９によって繰り返し膨縮して足載せ台１０に載せられた着座者の足をエアーマッサージする足マッサージ用の空気袋を設けることが好ましい。
【００１３】
図３に示すようにエアー給排気装置９は、圧縮空気を生成するエアーポンプ１１と、排気が可能なエアー分配装置例えばロータリーバルブ１２と、第１の電磁弁１３と、第２の電磁弁１４と、第３の電磁弁１５と、これらを制御する制御装置１６とを備えている。制御装置１６にはこれに接続された操作部例えばリモートコントローラ１７から使用者が所望するマッサージモードの指定信号が入力される。マッサージモードには、所望のマッサージ用空気袋を繰り返し膨縮させるポイントモード、選択された複数のマッサージ用空気袋を順番に繰り返し膨縮させるコースモード等がある。ロータリーバルブ１２は、エアーポンプ１１が生成した空気を、マッサージモードに従って所定のマッサージ用空気袋に供給するとともに、それ以外のマッサージ用空気袋から戻される空気を外部に排出させる。第１の電磁弁１３、第２の電磁弁１４、及び第３の電磁弁１５は、後述の移動輪用空気袋の膨張と収縮との制御を担うものである。
【００１４】
なお、座部３に少なくとも一つのマッサージ用空気袋が配設されている場合には、背もたれ４に設けられるマッサージ用施療子としては、膨縮する空気袋に代えて、一対の揉み玉に叩き動作や揉み動作等を実行させるいわゆる機械式のマッサージユニットを用いてもよく、或いはバイブレータなども用いることも可能であり、又、背もたれ４のマッサージ用施療子は省略してもよい。
【００１５】
椅子本体２の後側部位好ましくは部座部３の後部には複数例えば左右一対の後部移動輪２２（一方のみ図示）が設けられている。すなわち、左右の側部本体支え３ｂはその下端に脚部材２１を有している。これら脚部材２１は通常時床面Ｆに接する。夫々の脚部材２１は前後方向に延びており、その後端部２１ａは側部本体支え３ｂの後端面より突出されて、斜め上向きに曲げられている。左右一対の脚部材２１の後端部には傾斜した背もたれ４の背面に下方から対向していて、夫々後部移動輪２２が取付けられている。これら後部移動輪２２は、脚部材２１がその後端部を除いて床面Ｆに支持された通常の状態で、床面Ｆから離れていても或いは軽微に接触していてもよい。後部移動輪２２には椅子式マッサージ機１を移動する際に向きを容易に変えることが可能なキャスタを用いることが好ましい。
【００１６】
図２に示すように椅子本体２の前側部位好ましくは座部３の前部には複数例えば左右一対の前部移動輪２３（一方のみ図示）が設けられている。すなわち、座部本体３ａの前部下方位置には、例えば脚部材２１にわたる図示しない固定のブリッジ要素が配置されており、このブリッジ要素の両端部に夫々に支え部材２４が固定されている。左右の支え部材２４は、例えば板状であって、斜めに配置されている。左右の支え部材２４は、座部３の幅方向に延びる単一の部材とすることもでき、又、前記ブリッジ要素と一体とすることもできる。
【００１７】
支え部材２４の下端部には前部移動輪２３が回動可能に連結されている。前部移動輪２３は、回転輪２３ａと、この回転輪２３ａを回転自在に支持したホルダー２３ｂとを有している。ホルダー２３ｂは、支え部材２４と同程度の大きさの板状をなしており、その一端部が支え部材２４の下端部に枢支部２５を介して連結されている。したがって、枢支部２５を支点として前部移動輪２３は、支え部材２４に接離するように上下方向に回動できる。ホルダー２３ｂは左右の回転輪２３ａに対して共通して使用できるように座部３の幅方向に延びる単一の部材とすることができる。前部移動輪２３には椅子式マッサージ機１を移動する際に向きを容易に変えることが可能なキャスタを用いることが好ましい。
【００１８】
前部移動輪２３のホルダー２３ｂと支え部材２４との間には移動輪用空気袋２６が設けられている。支え部材２４は空気袋２６がホルダー２３ｂから離れる方向に膨張することを妨げるために設けてあり、この支え部材２４に空気袋２６が取付けられている。空気袋２６は、本実施形態では左右一対(一方のみ図示)が設けられて、同期して膨縮されるが、既述のように支え部材２４及びホルダー２３ｂを夫々単一部材とした場合には、座部３の幅方向に延びる単一の移動輪用空気袋を用いることもできる。
【００１９】
移動輪用空気袋２６は、通常（非使用状態）では収縮しており、椅子式マッサージ機１を移動する際（使用状態）では膨張を保持するようにエアー給排気装置９によって膨縮を制御される。空気袋２６が収縮している状態で前部移動輪２３は、その回転輪２３ａが床面Ｆに接して座部３内の待機位置に収納されているが、この収納のためにばね等を用いて前部移動輪２３を収納方向に付勢することも可能である。
【００２０】
図３に示すように移動輪用空気袋２６はエアーポンプ１１の吐出口に、第１の電磁弁１３と第２の電磁弁１４と第３の電磁弁１５とを順次介して接続されている。第１の電磁弁１３は２ポートの電磁式開閉弁である。第２の電磁弁１４は３ポートの電磁式方向切換え弁である。第３の電磁弁１５は２ポートの電磁式開閉弁である。
【００２１】
第１の電磁弁１３の一方のポートはエアーポンプ１１の吐出口に接続され、第１の電磁弁１３の他方のポートは第２の電磁弁１４の第１ポートに接続されている。第２の電磁弁１４の第２ポートは第３の電磁弁１５の一方のポートに接続されている。第２の電磁弁１４の第３ポートは大気中に開放された排気ポートである。第３の電磁弁１５の他方のポートは移動輪用空気袋２６に接続されている。
【００２２】
第１の電磁弁１３及び第３の電磁弁１５は、夫々制御装置１６での制御により通電された時に開かれ、非通電の状態では閉じられるようになっている。第２の電磁弁１４は制御装置１６での制御により、非通電とされた時は第２ポートと第３ポートとを接続する排気位置に切換り、通電された時に第１ポートと第２ポートとを接続する給気位置に切換るようになっている。
【００２３】
移動輪用空気袋２６の非使用時には、第２の電磁弁１４が排気位置に切換っているとともに、第１の電磁弁１３及び第３の電磁弁１５が夫々閉じ状態を維持する。又、移動輪用空気袋２６の使用時には、第２の電磁弁１４が給気位置に切換るとともに、第１の電磁弁１３及び第３の電磁弁１５が閉じ状態から開き状態に変わって移動輪用空気袋２６に給気し、所定の給気後、電磁弁１３及び第３の電磁弁１５が閉じ状態に切換ってこれを維持する。
【００２４】
通常時には、第１の電磁弁１３、第２の電磁弁１４、及び第３の電磁弁１５はいずれも通電されていないので、第２の電磁弁１４が排気位置となっているとともに、第１の電磁弁１３及び第３の電磁弁１５が閉じ状態を維持している。このため、エアーポンプ１１で生成された圧縮空気が移動輪用空気袋２６に供給されることがないとともに、マッサージ用空気袋を使用してのマッサージの際に移動輪用空気袋２６に至る配管系から空気が漏れることもなく、又、移動輪用空気袋２６は収縮状態を維持している。
【００２５】
次に、椅子式マッサージ機１を移動させる場合を説明する。
【００２６】
移動輪用空気袋２６は、椅子式マッサージ機１を移動させる際に膨張される。すなわち、通常、椅子式マッサージ機１は図示しない電源に接続されているので、リモートコントローラ１７の運搬釦（図示しない）が押されることに伴って、制御装置１６により各電磁弁１３〜１５への通電がなされて、まず、第１の電磁弁１３および第３の電磁弁１５が夫々閉じ状態から開き状態に変わるとともに、第２の電磁弁１４が給気位置に切換る。このため、エアーポンプ１１の駆動に伴って移動輪用空気袋２６に対する給気がなされて、この空気袋２６が膨張する。そして、給気所定時間などの管理で移動輪用空気袋２６に所定量の空気が供給された後、第１の電磁弁１３及び第３の電磁弁１５への通電が停止されるとともに、第２の電磁弁１４に対する通電も停止される。これにより、第１の電磁弁１３及び第３の電磁弁１５が夫々閉じ状態となるとともに、第２の電磁弁１４が排気位置に切換って、移動輪用空気袋２６が膨張状態に保持される。
【００２７】
この移動輪用空気袋２６の膨張によって、前部移動輪２３が押し下げられるので、それまで図２（Ａ）に示した待機位置に配置されて椅子本体２の下面例えば座部３の下面から突出していない状態にあった前部移動輪２３が、椅子本体２の下面から突出して、つまり、座部３の下方に突出して使用位置に配置される。これにより、前部移動輪２３の回転輪２３ａが床面Ｆに接して椅子本体２の前側が押し上げられるとともに、これに相応して座部３の脚部材２１全体が床面Ｆから離れるようになって、後部移動輪２２が床面Ｆに接するようになる。すなわち、背もたれ４を倒したりする操作を要することなく、椅子本体２を前部移動輪２３と後部移動輪２２とによって４点支持できる。この状態を図２（Ｂ）に示す。
【００２８】
この後、椅子式マッサージ機１の電源を切る。この場合、電源が切られる以前に各電磁弁１３〜１５は非通電状態にあって、第１の電磁弁１３及び第３の電磁弁１５がそのまま閉じ状態を維持しているので、第２の電磁弁１４が排気位置に切換っているにもかかわらず、電源が切られても移動輪用空気袋２６の膨張状態は保持される。
【００２９】
このため、前部移動輪２３及び後部移動輪２２を回転させながら椅子式マッサージ機１を床面Ｆに沿って所望位置まで移動させることができる。椅子式マッサージ機１が所望位置まで移動された状態では、電源との接続が行われた後に、リモートコントローラ１７での操作によって、第３の電磁弁１５が開かれるように制御される。このため、排気位置にある第２の電磁弁１４を通して移動輪用空気袋２６内の空気が排出される。よって、空気袋２６が収縮されるに伴い、床面Ｆによって押し上げられる前部移動輪２３を図２（Ａ）に示すように座部３内の待機位置に格納させることができる。
【００３０】
以上のように前記構成の椅子式マッサージ機１は、リモートコントローラ１７での釦操作で移動輪用空気袋２６を膨張させることによって、座部３に設けた複数の前部移動輪２３を座部３の下方に突出させた状態に保持して、この前部移動輪２３と後部移動輪２２を用いて床面Ｆ上を移動させることができる。この場合、従来のように重い背もたれ４を起倒させる面倒な手間を要することがないので、作業上の負担が大幅に軽減されて、手軽に椅子式マッサージ機１を所望位置に移動できる。又、移動された所望位置では、移動輪用空気袋２６からの排気にしたがって座部３の脚部材２１が徐々に床面Ｆに接するので、脚部材２１が急激に床面に衝突して双方がダメージを受けることも防止できる。
【００３１】
更に、移動輪用空気袋２６を膨張させるエアー給排気装置９は、マッサージ用施療子としての空気袋５、６ａ,６ｂ、７、８ａ,８ｂを繰り返し膨縮して動作させるのにも使用されているので、エアー給排気装置９を共用できる点で好ましい。
【００３２】
しかも、以上のように前部移動輪２３のみを座部３の下面に対して出没させるのに移動輪用空気袋２６を用いたので、前部移動輪２３の座部３から突出した使用位置に保持する構成が不要である。その上、既述のようにエアー給排気装置９を共用していることから、モータ等の駆動源を格別に要することがない。したがって、前部移動輪２３を出没するための構成が簡単である点で好ましい。
【００３３】
加えて、前記一実施形態では、前部移動輪２３と後部移動輪２２の内の一方である前部移動輪２３のみを、移動輪用空気袋２６で座部３の下面に対して出没させ、他方の後部移動輪２２を予め床面Ｆに接し得る状態に設けた構成であるので、出没対象の移動輪の数を少なくできる点で好ましい。しかも、一般的な椅子式マッサージ機は後部移動輪を備えているので、こうした機種については、前部移動輪２３とこれを座部３の下面に対して出没させる構成を単に付加するだけで、本発明を適用できる点でも好ましい。
【００３４】
又、本発明は前記一実施形態には制約されない。例えば、前部移動輪２３を出没する代わりに、移動輪用空気袋２６を用いて後部移動輪２２を椅子本体２の下面例えば座部３の下面に対して出没させる構成とすることもできる。更に、本発明は、複数の前部移動輪２３及び複数の後部移動輪２２の夫々を、移動輪用空気袋２６を用いて椅子本体２の下面例えば座部３の下面に対して出没させる構成として実施することもできる。
【図面の簡単な説明】
【００３５】
【図１】本発明の一実施形態に係る椅子式マッサージ機を示す斜視図。
【図２】（Ａ）は図１の椅子式マッサージ機が床面に設置された状態を示す一部切欠側面図。（Ｂ）は図１の椅子式マッサージ機をその移動が可能な状態で示す一部切欠側面図。
【図３】図１の椅子式マッサージ機の制御系統を示すブロック図。
【符号の説明】
【００３６】
１…椅子式マッサージ機、２…椅子本体、３…座部、４…背もたれ、５…マッサージ用空気袋（施療子）、６ａ,６ｂ…マッサージ用空気袋（施療子）、７…マッサージ用空気袋（施療子）、８ａ,８ｂ…マッサージ用空気袋（施療子）、９…エアー給排気装置、２１…脚部材、２２…後部移動輪、２３…前部移動輪、２３ａ…回転輪、２３ｂ…ホルダー、２４…支え部材、２５…枢支部、２６…移動輪用空気袋、Ｆ…床面
【図１】
2006034446.tif 000003
【図２】
2006034446.tif 000004
【図３】
2006034446.tif 000005